【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
入力色空間内のカラーピクチャデータを表す３つの成分Ｃ１、Ｃ２、及びＣ３から２つの色差成分を得る方法であって、
前記成分Ｃ１にプロセス及び逆のプロセスを適用することによって第１の成分を得ること、及び
前記成分Ｃ２と前記第１の成分との差に基づいて前記色差成分の第１の色差成分を得ることであって、前記色差成分の第２の色差成分は前記成分Ｃ３と前記第１の成分との差に基づく、前記色差成分の第１の色差成分を得ること
を含むことを特徴とする、方法。
【請求項２】
前記第１の成分を得ることが、前記成分Ｃ１を量子化すること及び前記量子化された成分Ｃ１の逆量子化を含む、請求項１に記載の方法。
【請求項３】
前記第１の成分を得ることが、前記成分Ｃ１の符号化及び前記符号化された成分Ｃ１の復号を含む、請求項１に記載の方法。
【請求項４】
前記第１の成分を得ることが、前記成分Ｃ１の量子化とその後に続く前記量子化された成分Ｃ１の符号化、及び前記符号化された成分Ｃ１の復号とその後に続く前記復号された成分Ｃ１の逆量子化を含む、請求項１に記載の方法。
【請求項５】
非線形カラーピクチャデータを得るために前記カラーピクチャデータに対して変換関数を適用することを更に含む、請求項１乃至４の何れか一項に記載の方法。
【請求項６】
前記成分Ｃ１に前記プロセスを適用する前に前記カラーピクチャデータの各成分を逆量子化することを更に含む、請求項１に記載の方法。
【請求項７】
前記入力色空間はＣＩＥＸＹＺ色空間又はＹＤｚＤｘ色空間である、請求項１乃至６に記載の方法。
【請求項８】
請求項１乃至７の何れか一項に従って前記カラーピクチャデータの色差成分を得ることを含む、カラーピクチャデータを符号化する方法。
【請求項９】
前記成分Ｃ１にプロセスを適用することによって第１の成分を得ることは、カラーピクチャデータの前記成分Ｃ１の残差を計算することを含む、請求項８に記載の方法。
【請求項１０】
前記成分Ｃ１が前記カラーピクチャカラーデータのルマ成分である場合、前記カラーピクチャデータのルマ成分の前記残差は、前記カラーピクチャの前記ルマ成分に対して前記カラーピクチャデータの前記ルマ成分の低空間周波数バージョンを減算することによって計算される、請求項９に記載の方法。
【請求項１１】
前記成分Ｃ１が前記カラーピクチャカラーデータのルマ成分である場合、前記カラーピクチャデータのルマ成分の前記残差は、前記カラーピクチャデータの前記ルマ成分をバックライト成分で除算することによって計算される、請求項９に記載の方法。
【請求項１２】
入力色空間内のカラーピクチャデータを表す３つの成分Ｃ１、Ｃ２、及びＣ３から２つの色差成分を得る装置であって、
前記成分Ｃ１にプロセス及び逆のプロセスを適用することによって第１の成分を得る手段と、
前記成分Ｃ２と前記第１の成分との差に基づいて前記色差成分の第１の色差成分を得る手段であって、前記色差成分の第２の色差成分は前記成分Ｃ３と前記第１の成分との差に基づく、前記色差成分の第１の色差成分を得る手段と
を含むことを特徴とする、装置。
【請求項１３】
請求項１乃至７の何れか一項による方法に従って色差成分を得る手段を含む、ピクチャデータを符号化する装置。
【請求項１４】
コンピュータ上で実行されるときに請求項１又は７による符号化方法のステップを実行するプログラムコード命令を含む、コンピュータプログラム製品。
【請求項１５】
少なくとも請求項１又は７による符号化方法のステップをプロセッサに実行させる命令を記憶している、プロセッサ可読媒体。
【請求項１６】
計算装置上で実行されるときに請求項１乃至７の何れか一項による方法のステップを実行するプログラムコードの命令を保持する、非一時的記憶媒体。
【請求項１７】
前記第１の成分を得ることが、前記成分Ｃ１を量子化すること及び前記量子化された成分Ｃ１の逆量子化を含む、請求項１２に記載の装置。
【請求項１８】
前記第１の成分を得ることが、前記成分Ｃ１の符号化及び前記符号化された成分Ｃ１の復号を含む、請求項１２に記載の装置。
【請求項１９】
前記第１の成分を得ることが、前記成分Ｃ１の量子化とその後に続く前記量子化された成分Ｃ１の符号化、及び前記符号化された成分Ｃ１の復号とその後に続く前記復号された成分Ｃ１の逆量子化を含む、請求項１２に記載の装置。
【請求項２０】
前記方法が非線形カラーピクチャデータを得るために前記カラーピクチャデータに対して変換関数を適用することを更に含む、請求項１２、１７乃至１９の何れか一項に記載の装置。
【請求項２１】
前記方法が前記成分Ｃ１に前記プロセスを適用する前に前記カラーピクチャデータの各成分を逆量子化することを更に含む、請求項１２に記載の装置。
【請求項２２】
前記入力色空間はＣＩＥＸＹＺ色空間又はＹＤｚＤｘ色空間である、請求項１２、１７乃至２１に記載の装置。
【請求項２３】
前記成分Ｃ１にプロセスを適用することによって第１の成分を得ることは、カラーピクチャデータの前記成分Ｃ１の残差を計算することを含む、請求項１３に記載の装置。
【請求項２４】
前記成分Ｃ１が前記カラーピクチャカラーデータのルマ成分である場合、前記カラーピクチャデータのルマ成分の前記残差は、前記カラーピクチャの前記ルマ成分に対して前記カラーピクチャデータの前記ルマ成分の低空間周波数バージョンを減算することによって計算される、請求項２３に記載の装置。
【請求項２５】
前記成分Ｃ１が前記カラーピクチャカラーデータのルマ成分である場合、前記カラーピクチャデータのルマ成分の前記残差は、前記カラーピクチャデータの前記ルマ成分をバックライト成分で除算することによって計算される、請求項２３に記載の装置。
【手続補正２】
【補正対象書類名】明細書
【補正対象項目名】０１１６
【補正方法】変更
【補正の内容】
【０１１６】
幾つかの実装形態を記載してきた。それでもなお、様々な修正が加えられ得ることが理解されよう。例えば、他の実装形態を作り出すために別の実装形態の要素が組み合わせられ、補われ、修正され、又は除去され得る。更に、開示した構造及びプロセスを他の構造及びプロセスが置換しても良く、その結果生じる実装形態が開示した実装形態と少なくともほぼ同じ結果を実現するために、少なくともほぼ同じ機能を少なくともほぼ同じやり方で実行することを当業者なら理解されよう。従って、それらの及び他の実装形態も本願によって予期される。
［付記１］
入力色空間内のカラーピクチャデータを表す３つの成分Ｃ１、Ｃ２、及びＣ３から３つの色差成分を得る方法であって、前記色差成分の第１の色差成分は前記成分Ｃ１から定められ、前記色差成分の第２の色差成分は前記第１の色差成分及び前記成分Ｃ２から定められ、前記色差成分の第３の色差成分は前記第１の色差成分及び前記成分Ｃ３から定められ、
前記成分Ｃ１にプロセスを適用することによって第１の成分を得ること、及び
前記第１の成分に逆のプロセスを適用することによって前記第１の色差成分を得ること
を更に含むことを特徴とする、方法。
［付記２］
前記成分Ｃ１に適用される前記プロセスは前記成分Ｃ１の量子化を含み、前記第１の成分に適用される前記逆のプロセスは前記第１の成分の逆量子化を含む、付記１に記載の方法。
［付記３］
前記成分Ｃ１に適用される前記プロセスは前記成分Ｃ１の符号化を含み、前記第１の成分に適用される前記逆のプロセスは前記第１の成分の復号を含む、付記１に記載の方法。
［付記４］
前記成分Ｃ１に適用される前記プロセスは前記成分Ｃ１の量子化とその後に続く前記量子化された成分Ｃ１の符号化を含み、前記第１の成分に適用される前記逆のプロセスは前記第１の成分の復号とその後に続く前記復号された成分の逆量子化を含む、付記１に記載の方法。
［付記５］
非線形カラーピクチャデータを得るために前記カラーピクチャデータに対して変換関数を適用することを更に含む、付記１乃至４の何れか一項に記載の方法。
［付記６］
前記成分Ｃ１に前記プロセスを適用する前に前記カラーピクチャデータの各成分を逆量子化することを更に含む、付記１乃至５の何れか一項に記載の方法。
［付記７］
前記入力色空間はＣＩＥＸＹＺ色空間又はＹＤｚＤｘ色空間である、付記１乃至６に記載の方法。
［付記８］
付記１乃至７の何れか一項に従って前記カラーピクチャデータの色差成分を得ることを含む、カラーピクチャデータを符号化する方法。
［付記９］
前記成分Ｃ１にプロセスを適用することによって第１の成分を得ることは、カラーピクチャデータの前記成分Ｃ１の残差を計算することを含む、付記８に記載の方法。
［付記１０］
前記成分Ｃ１が前記カラーピクチャカラーデータのルマ成分である場合、前記カラーピクチャデータのルマ成分の前記残差は、前記カラーピクチャの前記ルマ成分に対して前記カラーピクチャデータの前記ルマ成分の低空間周波数バージョンを減算することによって計算される、付記９に記載の方法。
［付記１１］
前記成分Ｃ１が前記カラーピクチャカラーデータのルマ成分である場合、前記カラーピクチャデータのルマ成分の前記残差は、前記カラーピクチャデータの前記ルマ成分をバックライト成分で除算することによって計算される、付記９に記載の方法。
［付記１２］
入力色空間内のカラーピクチャデータを表す３つの成分Ｃ１、Ｃ２、及びＣ３から３つの色差成分を得る装置であって、前記色差成分の第１の色差成分は前記成分Ｃ１から定め
られ、前記色差成分の第２の色差成分は前記第１の色差成分及び前記成分Ｃ２から定められ、前記色差成分の第３の色差成分は前記第１の色差成分及び前記成分Ｃ３から定められ、
前記成分Ｃ１にプロセスを適用することによって第１の成分を得ること、及び
前記第１の成分に逆のプロセスを適用することによって前記第１の色差成分を得ること
を行うように構成されたプロセッサを含むことを特徴とする、装置。
［付記１３］
付記１乃至７の何れか一項による方法に従って色差成分を得るように構成されたプロセッサを含む、ピクチャデータを符号化する装置。
［付記１４］
コンピュータ上で実行されるときに付記１又は７による符号化方法のステップを実行するプログラムコード命令を含む、コンピュータプログラム製品。
［付記１５］
少なくとも付記１又は７による符号化方法のステップをプロセッサに実行させる命令を記憶している、プロセッサ可読媒体。
［付記１６］
計算装置上で実行されるときに付記１乃至７の何れか一項による方法のステップを実行するプログラムコードの命令を保持する、非一時的記憶媒体。